(57)【要約】【課題】安価な構成で、電気掃除機の掃除機本体に伝達する振動を著しく低減させることができる電動送風機を提供する。【解決手段】電動機２と、電動機２の回転軸３に取り付けられ、電動機２によって回転駆動されるインペラ４と、インペラを内包するケーシング８とを備え、ケーシング８の外周には、略Ｕ字状の折り曲げ部１６が形成されており、折り曲げ部１６とケーシング８との間には空間部１７が形成されているもので、本発明の電動送風機１を電気掃除機に搭載する際に、空間部１７とケーシング８の外周部にゴムなどからなるサポートゴム１８を介して掃除機本体隔壁１３に保持するようにすれば、電動送風機１の振動減衰効果を向上できる。【選択図】図１
2013220291.tif 000002
【特許請求の範囲】
【請求項１】
電動機と、前記電動機の回転軸に取り付けられ、前記電動機によって回転駆動されるインペラと、前記インペラを内包するケーシングとを備え、前記ケーシングの外周には、略Ｕ字状の折り曲げ部が形成されており、前記折り曲げ部と前記ケーシングとの間には空間部が形成されている電動送風機。
【請求項２】
略Ｕ字状の折り曲げ部に複数個のスリット部を設けた請求項１に記載の電動送風機。
【請求項３】
空間部に、電動機の回転軸に対して垂直方向にコイルバネを配置してなる請求項１又は２に記載の電動送風機。
【請求項４】
空間部に、電動機の回転軸の軸方向にコイルバネを配置してなる請求項１又は２に記載の電動送風機。
【請求項５】
塵埃を捕集する集塵室と、前記集塵室に連通するように接続される延長管、ホース、吸い込み具と、請求項１〜４の何れか１項に記載の電動送風機を有する電気掃除機。
【発明の詳細な説明】
【技術分野】
【０００１】
本発明は、主に電気掃除機に使用される電動送風機とそれを用いた電気掃除機に関するものである。
【背景技術】
【０００２】
従来のこの種の電動送風機として、図６に示すようなものがある（例えば、特許文献１参照）。図６は、前記特許文献１に記載された従来の電動送風機の縦断面図である。
【０００３】
従来の電動送風機１は、電動機２と、電動機２の回転軸３に固定されたインペラ４を備え、前記インペラ４の外周に対向して複数の案内翼５でボリュート室６を形成したエアガイド７が配置されている。ケーシング８は、インペラ４とエアガイド７を内包し、かつ電動機２の外周に気密に取り付けられ、中央部に吸気孔９を備えている。前記電動機２を構成する反負荷側ブラケット１０には、前記インペラ４で吸引された空気を排気する排気孔１１が設けられている。
【０００４】
前記ケーシング８の吸気孔９部を、シール部材１２を介して掃除機本体隔壁１３に固定すると共に、電動機２の反負荷側ブラケット１０の側部を複数個のコイルバネ１４で保持部材１５を介して保持することにより、電動送風機１の掃除機本体隔壁１３への振動伝達を低減させるものが提案されていた。
【０００５】
以上のように構成された従来の電動送風機の動作について説明すると、電動機２が運転して回転軸３に固定されたインペラ４が高速で回転すると吸込まれる気流が発生する。
【０００６】
この吸込み気流は、インペラ４の外周から排出され、エアガイド７のボリュート室６を経由して電動機２内部に導かれ、前記電動機２内部を冷却した後、反負荷側ブラケット１０の排気孔１１より排出されるものであった。
【０００７】
この時、インペラ４の残留アンバランス等が起因して生じる電動送風機１の振動を、前記コイルバネ１４の弾性力で減衰させて、掃除機本体隔壁１３に伝達するのを防止して、電気掃除機の振動音を低減させるものであった。
【先行技術文献】
【特許文献】
【０００８】
【特許文献１】特開２００９−２１９５２７号公報
【発明の概要】
【発明が解決しようとする課題】
【０００９】
しかしながら、前記特許文献１に記載されたような従来の電動送風機１の構成では、コイルバネ１４を固定するための保持部材１５等が必要となるため、部品点数が増加し、電気掃除機の構成や組み立て性が複雑になるという欠点があった。
【００１０】
また、電動送風機１で比較的振動の大きいケーシング８は、吸気孔９部にシール部材１２を介して保持しているため、振動エネルギーが集中しシール部材１２の劣化を促進させるという課題があった。
【００１１】
この場合、ケーシング８部をゴムなどの弾性体で掃除機本体隔壁１３に保持する場合も、弾性体の寸法ばらつき等の影響により、弾性体が圧縮されて振動の減衰効果を低下させ
たり、経年劣化で弾性力が低下したりするという課題もあった。
【００１２】
本発明は上記従来の課題を解決するもので、部品点数の増加を抑制し比較的簡単な構成で、電動送風機の振動減衰効果を著しく向上させると共に、低騒音の電気掃除機を提供することを目的とする。
【課題を解決するための手段】
【００１３】
前記従来の課題を解決するために、本発明の電動送風機は、電動機と、前記電動機の回転軸に取り付けられ、前記電動機によって回転駆動されるインペラと、前記インペラを内包するケーシングとを備え、前記ケーシングの外周には、略Ｕ字状の折り曲げ部が形成されており、前記折り曲げ部と前記ケーシングとの間には空間部が形成されているもので、本発明の電動送風機を電気掃除機に搭載する際に、前記空間部とケーシング外周部にゴムなどの弾性体を介して掃除機本体隔壁に保持するようにすれば、電動送風機の振動減衰効果を向上できるものである。
【００１４】
また、本発明の電気掃除機は、塵埃を捕集する集塵室と、前記集塵室に連通するように接続される延長管、ホース、吸い込み具と、請求項１〜４の何れか１項に記載の電動送風機を有するもので、不快な振動音を低減した静かな電気掃除機を実現できる。
【発明の効果】
【００１５】
本発明の電動送風機は、部品点数の増加を抑制し比較的簡単な構成で、電動送風機の振動減衰効果を著しく向上させることができるもので、その電動送風機を用いることで、低騒音の電気掃除機を提供することができる。
【図面の簡単な説明】
【００１６】
【図１】本発明の第１の実施の形態に係る電動送風機の半断面図
【図２】本発明の第２の実施の形態に係る電動送風機の半断面図
【図３】本発明の第３の実施の形態に係る電動送風機の半断面図
【図４】本発明の第４の実施の形態に係る電動送風機の半断面図
【図５】本発明の第５の実施の形態に係る電気掃除機の斜視図
【図６】従来の電動送風機の縦断面図
【発明を実施するための形態】
【００１７】
第１の発明は、電動機と、前記電動機の回転軸に取り付けられ、前記電動機によって回転駆動されるインペラと、前記インペラを内包するケーシングとを備え、前記ケーシングの外周には、略Ｕ字状の折り曲げ部が形成されており、前記折り曲げ部と前記ケーシングとの間には空間部が形成されているもので、本発明の電動送風機を電気掃除機に搭載する際に、前記空間部とケーシング外周部にゴムなどの弾性体を介して掃除機本体隔壁に保持するようにすれば、電動送風機の振動減衰効果を向上できるものである。
【００１８】
第２の発明は、特に、第１の発明の略Ｕ字状の折り曲げ部に複数個のスリット部を設けたもので、略Ｕ字状の折り曲げ部の弾性力が更に向上するので、より振動減衰効果が大きくなる。
【００１９】
第３の発明は、特に、第１または第２の発明の空間部に、電動機の回転軸に対して垂直方向にコイルバネを配置したもので、電動送風機のラジアル方向の振動減衰効果を向上させることができるものである。ここで、回転軸に対して垂直方向をラジアル方向と定義する。
【００２０】
第４の発明は、特に、第１または第２の発明の空間部に、電動機の回転軸の軸方向にコ
イルバネを配置したもので、電動送風機のスラスト方向の振動減衰効果を向上させることができるものである。ここで、回転軸の軸方向をスラスト方向と定義する。
【００２１】
第５の発明に係る電気掃除機は、塵埃を捕集する集塵室と、前記集塵室に連通するように接続される延長管、ホース、吸い込み具と、請求項１〜４の何れか１項に記載の電動送風機を有するもので、不快な振動音を低減した静かな電気掃除機を実現できる。
【００２２】
以下、本発明の実施の形態について、図面を参照しながら説明する。なお、この実施の形態により本発明が限定されるものではない。
【００２３】
（実施の形態１）
以下、本発明の実施の形態１における電動送風機について図面を用いて説明する。図１は、本実施の形態における電動送風機１の半断面図である。なお、従来の電動送風機と同一構成部品については、同一符号を付してその説明を省略する。
【００２４】
本実施の形態における電動送風機は、図１に示すように、電動送風機１を構成するケーシング８の外周部に、断面略Ｕ字状の折り曲げ部１６が形成され、前記折り曲げ部１６とケーシング８の外周部との間にはドーナツ状の空間部１７が形成されている。さらに、前記空間部１７とケーシング８の外周部には、ゴムなどの弾性体からなるサポートゴム１８を介して掃除機本体隔壁１３に保持されている。
【００２５】
以上のように構成された本実施の形態における電動送風機１の動作について説明する。電動機２が運転し、回転軸３に取付け固定されたインペラ４が高速で回転すると、一般的にインペラ４の残留アンバランス量によりインペラ４の回転数に同期した振動が発生する。通常この振動はインペラ４を覆うケーシング８部が反負荷側ブラケット１０部の振動よりも大きい。
【００２６】
しかしながら、本実施の形態における電動送風機１は、ケーシング８の外周に設けた略Ｕ字状の折り曲げ部１６の弾性力によりその振動を減衰させることが出来るため、サポートゴム１８の寸法ばらつきにより圧縮されて弾性が低下した場合でも、掃除機本体隔壁１３に振動が伝達して発生する不快な振動音を低減することができるようになる。
【００２７】
（実施の形態２）
以下、本発明の実施の形態２における電動送風機について図２を用いて説明する。図２は、本実施の形態における電動送風機１の半断面図である。なお、上記実施の形態における電動送風機と同一構成部品については、同一符号を付してその説明を省略する。
【００２８】
本実施の形態における電動送風機は、図２に示すように、電動送風機１を構成するケーシング８の外周部に形成した略Ｕ字状の折り曲げ部１６に複数個のスリット部１９を形成したもので、他の構成は、上記実施の形態１における電動送風機と同一である。
【００２９】
以上のように、本実施の形態では、複数個のスリット部１９を設けているので、略Ｕ字状の折り曲げ部１６の剛性を低下させて弾性力をアップさせることができるので、更に振動減衰効果を向上させることが出来る。
【００３０】
（実施の形態３）
図３は、本発明の実施の形態３における電動送風機１の半断面図である。なお、上記実施の形態における電動送風機と同一構成部品については、同一符号を付してその説明を省略する。
【００３１】
本実施の形態における電動送風機は、図３に示すように、電動送風機１を構成するケーシング８の外周部に形成した略Ｕ字状の折り曲げ部１６と、ケーシング８の外周部との間に形成した空間部１７に、電動送風機１のラジアル方向に複数個のコイルバネ１４を配置したものである。
【００３２】
以上のように、本実施の形態では、コイルバネ１４の弾性力により、略Ｕ字状の折り曲げ部１６の弾性力をさらにアップさせることができるので、電動送風機１のラジアル方向の振動を更に減衰させることができる。
【００３３】
（実施の形態４）
図４は、本発明の実施の形態４における電動送風機１の半断面図である。なお、上記実施の形態における電動送風機と同一構成部品については、同一符号を付してその説明を省略する。
【００３４】
本実施の形態における電動送風機は、図４に示すように、電動送風機１を構成するケーシング８の外周部に形成した略Ｕ字状の折り曲げ部１６と、ケーシング８の外周部との間に形成した空間部１７に、電動送風機１のスラスト方向に複数個のコイルバネ１４を配置したもので、コイルバネ１４の弾性力により、電動送風機１のスラスト方向の振動を減衰させることができる。
【００３５】
（実施の形態５）
図５は、本発明の実施の形態５における電気掃除機の斜視図である。なお、上記実施の形態における電動送風機と同一構成部品については、同一符号を付してその説明を省略する。
【００３６】
本実施の形態における電気掃除機は、上記実施の形態１〜４のいずれかにおける電動送風機１を内蔵した掃除機本体２０と、掃除機本体２０内の集塵室（図示せず）と連通した延長管２１と、ホース２２と、吸込み具２３とで構成されている。
【００３７】
本実施の形態における電気掃除機は以上のように構成されているので、運転を開始すると、電動送風機１で発生した気流により、吸込み具２３から空気と塵埃を吸込み、ホース２２、延長管２１を経由して、集塵室内に内蔵したフィルター（図示せず）で塵埃を捕集することができる。
【００３８】
このとき、本発明の電動送風機１を内蔵しているので、電動送風機１が生じる振動を著しく減衰でき、静かな電気掃除機を簡単な構成で実現できるものである。
【産業上の利用可能性】
【００３９】
以上のように、本発明にかかる電動送風機は、簡単な構造で電動送風機の振動減衰効果を向上させて、掃除機本体に伝達する振動を著しく低減させることができるので、電気掃除機の振動音が低下し静かな電気掃除機を提供することができるもので、この種の電動送風機を用いる家庭用電化機器、産業機器等の用途にも幅広く適用できる。
【符号の説明】
【００４０】
１  電動送風機
２  電動機
３  回転軸
４  インペラ
５  案内翼
６  ボリュート室
７  エアガイド
８  ケーシング
９  吸気孔
１０  反負荷側ブラケット
１１  排気孔
１２  シール部材
１３  掃除機本体隔壁
１４  コイルバネ
１５  保持部材
１６  折り曲げ部
１７  空間部
１８  サポートゴム（弾性体）
１９  スリット部
２０  掃除機本体
２１  延長管
２２  ホース
２３  吸込み具
【図１】
2013220291.tif 000003
【図２】
2013220291.tif 000004
【図３】
2013220291.tif 000005
【図４】
2013220291.tif 000006
【図５】
2013220291.tif 000007
【図６】
2013220291.tif 000008